(57)【要約】【課題】本発明は、重機による装置の盗難を防止する防犯方法および防犯装置に関し、現金自動支払装置などの装置にセンサを取り付けて重機が近づいたことを音、振動で検出し、電波を送信して重機のエンジンをＯＦＦなどして停止させ、重機による盗難を確実かつ未然に防止することを目的とする。【解決手段】重機から発する音声あるいは振動を検出するセンサを用いて音あるいは振動を検出するステップと、音声あるいは振動によって重機を検出したときに、重機を停止させる停止コマンドを送信するステップとを有する。【選択図】  図１
2004272663.tif 000002
【特許請求の範囲】
【請求項１】
重機による装置の盗難を防止する防犯方法において、
物体から発する音声あるいは振動を検出するセンサを用いて音あるいは振動を検出するステップと、
前記音声あるいは振動によって重機を検出したときに、重機を停止させる停止コマンドを送信するステップと
を有する防犯方法。
【請求項２】
物体に超音波あるいは電波をセンサによって放射およびその反射信号をセンサによって検出するステップと、
前記放射および反射信号をもとに物体が所定距離以下に近づいたことを検出したときに、物体を停止させる停止コマンドを送信するステップと
を有する防犯方法。
【請求項３】
重機による装置の盗難を防止する防犯方法において、
物体から発する音声あるいは振動を検出するセンサを用いて音あるいは振動を検出するステップと、
前記音声あるいは振動によって重機を検出したときに、当該検出した重機に向けて煙幕あるいは液体を噴出するステップと
を有する防犯方法。
【請求項４】
前記音声あるいは振動によって重機を検出として、音声あるいは振動が予め登録した重機固有の音声あるいは振動をもとに重機を検出することを特徴とする請求項１あるいは請求項３記載の防犯方法。
【請求項５】
前記重機を停止させるコマンドとして、重機のエンジンを停止させるコマンドであることを特徴とする請求項１、請求項２および請求項４のいずれかに記載の防犯方法。
【請求項６】
前記重機が検出されたときに、重機に向けて煙幕あるいは液体を放出することを特徴とする請求項１、請求項２、請求項４および請求項５のいずれかに記載の防犯方法。
【請求項７】
前記重機に向けて停止コマンドを問合せて応答のあった停止コマンドを送信して重機を停止させることを特徴とする請求項１、請求項２、および請求項４から請求項６のいずれかに記載の防犯方法。
【請求項８】
前記重機が検出されたときに、関係部署システムに通報することを特徴とする請求項１から請求項７のいずれかに記載の防犯方法。
【請求項９】
重機による装置の盗難を防止する防犯装置において、
物体から発する音声あるいは振動を検出するセンサを用いて音あるいは振動を検出する手段と、
前記音声あるいは振動によって重機を検出したときに、重機を停止させる停止コマンドを送信する手段と
を備えたことを特徴とする防犯装置。
【請求項１０】
重機による装置の盗難を防止する防犯装置において、
重機に超音波あるいは電波をセンサによって放射およびその反射信号をセンサによって検出する手段と、
前記放射および反射信号をもとに重機が所定距離以下に近づいたことを検出したときに、重機を停止させる停止コマンドを送信する手段と
を備えたことを特徴とする防犯装置。
【発明の詳細な説明】
【０００１】
【発明の属する技術分野】
本発明は、重機による装置の盗難を防止する防犯方法および防犯装置に関するものである。
【０００２】
【従来の技術】
従来、現金自動支払機などの装置は、装置の扉が無理に開かれたりなどしたときに警報を発したり、警備会社に通報したりし、警備会社の担当者が駆けつけて対処していた（特許文献１）。
【０００３】
【特許文献１】
特開平０５−１２０５１６号公報の〔０００５〕など参照。
【０００４】
【発明が解決しようとする課題】
しかし、最近のブルトーザなどの重機を利用して現金自動支払装置を持ち上げてトラックに短時間に搭載し逃走する手法には、上述した従来の警報装置が鳴動および通報して警備会社の人が駆けつけたときには既に逃走してしまい、盗難を防止できないという問題があった。
【０００５】
本発明は、これらの問題を解決するため、現金自動支払装置などの装置にセンサを取り付けて重機が近づいたことを音、振動で検出し、電波を送信して重機のエンジンをＯＦＦなどして停止させ、重機による盗難を確実かつ未然に防止することを目的としている。
【０００６】
【課題を解決するための手段】
図１を参照して課題を解決するための手段を説明する。
【０００７】
図１において、装置１は、防犯対象の装置であって、例えばＡＴＭ（現金自動支払装置）であり、これにセンサ部１１、重機判別部１２、発信部１５、および通報部１６などを付加したものである。
【０００８】
センサ部１１は、重機２からの音、振動を検出したり、超音波、電波を重機２に向けて送信しその反射信号を検出したりなどするものである。
【０００９】
重機判別部１２は、重機２から検出した音、振動が予め登録したパターンと比較して重機２を判別して検出したり、放射して反射してきた信号をもとに重機２が所定距離以下に近づいたことを検出したりなどするものである。
【００１０】
発信部１５は、停止コマンドを重機２に送信するものである。
通報部１６は、重機２を検出したときに、関係部署システム３に通報するものである。
【００１１】
重機２は、ブルトーザなどの重機であって、装置１を持ち上げてトラックに移動したりなどするものであり、停止コマンドを受信すると停止するものである。
【００１２】
関係部署システム３は、装置１が警報を通知する関係部署（警備会社、警察など）のシステムである。
【００１３】
次に、動作を説明する。
装置１を構成するセンサ部１１が重機２から発する音声あるいは振動を検出し、重機判別部１２が検出された音あるいは振動から重機を検出したときに、発信部１５が重機を停止させる停止コマンドを送信し、重機２を停止させるようにしている。
【００１４】
また、装置１を構成するセンサ部１１が重機２に超音波あるいは電波を放射およびその反射信号を検出し、重機判別部１２が放射および反射信号をもとに重機２が所定距離以下に近づいたことを検出したときに、発信部１５が重機２を停止させる停止コマンドを送信し、重機２を停止させるようにしている。
【００１５】
これらの際に、音声あるいは振動によって重機２を検出として、音声あるいは振動が予め登録した重機固有の音声あるいは振動をもとに重機を検出するようにしている。
【００１６】
また、重機２を停止させるコマンドとして、重機２のエンジンを停止させるコマンドとするようにしてる。
【００１７】
また、重機２が検出されたときに、重機２に向けて煙幕あるいは液体を放出するようにしている。
【００１８】
また、重機２に向けて停止コマンドを問合せて応答のあった停止コマンドを送信して重機２を停止させるようにしている。
【００１９】
また、通報部１６は重機２が検出されときに、関係部署システム３に通報するようにしている。
【００２０】
従って、現金自動支払装置などの装置１にセンサを取り付けて重機２が近づいたことを音、振動などで検出し、電波を送信して重機２のエンジンをＯＦＦなどして停止させることにより、重機２による現金自動取扱装置などの装置の盗難を確実かつ未然に防止することが可能となる。
【００２１】
【発明の実施の形態】
次に、図１から図１０を用いて本発明の実施の形態および動作を順次詳細に説明する。
【００２２】
図１は、本発明のシステム構成図を示す。
図１において、装置１は、防犯対象の装置であって、例えばＡＴＭ（現金自動支払装置）であり、これにセンサ部１１、重機判別部１２、ＯＦＦコード問合せ部１３、コマンド作成部１４、発信部１５、通報部１６、および煙幕発生部１７などを付加したものである。
【００２３】
センサ部１１は、重機２からの音、振動を検出したり、超音波、電波を重機２に向けて送信しその反射信号を検出したりなどするものである。
【００２４】
重機判別部１２は、重機２から検出した音、振動が予め登録したパターンと比較して重機２を判別して検出したり、放射して反射してきた信号をもとに重機２が所定距離以下に近づいたことを検出したりなどするものである。
【００２５】
ＯＦＦコード問合せ部１３は、重機２に向けて無線で停止コマンドを問合せて、停止コマンドを受信するものである。
【００２６】
コマンド作成部１４は、重機２に適切な停止コマンドを作成するものである。
発信部１５は、停止コマンドを重機２に送信するものである。
【００２７】
通報部１６は、重機２を検出したときに、関係部署システム３に通報するものである。
【００２８】
煙幕発生部１７は、重機２に向けて煙幕あるいは液体（例えば高圧水、特殊の目潰し剤を入れた水）を放出するものである。
【００２９】
重機２は、ブルトーザなどの重機であって、装置１を持ち上げてトラックに移動したりなどするものであり、停止コマンドを受信すると停止するものであり、受信部２１、通知部２２、エンジンＯＦＦ制御部２３、エンジン２４、および移動機構２５などから構成されるものである。
【００３０】
受信部２１は、電波、超音波、赤外線などによる停止コマンドを受信したり、停止コマンドの問合せを受信したりなどするものである。
【００３１】
通知部２２は、停止コマンドの問合せに対応して、当該重機２に適合した停止コマンドを装置１に無線で通知したりなどするものである。
【００３２】
エンジンＯＦＦ制御部２３は、停止コマンドを受信すると、エンジンのＯＦＦ（停止）を制御するものである。
【００３３】
エンジン２４は、重機２を動作させる駆動源である。
移動機構２５は、重機２が移動する機構（例えばキャタピラなど）であって、固有の音，振動を発生するものである。当該固有の音、振動を予め記録してテンプレートとし、検出した音、信号と比較して重機２を検出するようにしている。
【００３４】
関係部署システム３は、装置１が盗難になりそうなときに通報する警備会社システム、警察システムである。
【００３５】
次に、図２、図３および図４を用いて重機２から音，振動を検出して重機２を停止、更に、煙幕あるいは液体を放出するときの構成および動作を詳細に説明する。
【００３６】
〔１〕  図２は、本発明の１実施例構成図（その１）を示す。ここで、装置１、および装置１を構成するセンサ部１１、重機判別部１２、コマンド作成部１４、発信部１５、通報部１６、重機２、重機２を構成する発信部２１、エンジンＯＦＦ制御部２３、エンジン２４、移動機構２５、および関係部署システム３は、図１の対応する番号のものと同一であるので説明を省略する。
【００３７】
次に、図２の構成の動作を、図４の（ａ）のフローチャートの順番に従い詳細に説明する。
【００３８】
図４の（ａ）は、動作説明フローチャートを示す。ここで、装置１、重機２は、図２の装置１、重機２をそれぞれ表す。
【００３９】
図４の（ａ）において、Ｓ１は、重機２がエンジンＯＮし重機作動する。
Ｓ２は、センサ部１１により物体情報を取得する。これは、図２の装置１を構成するセンサ部１１が重機２からの音、振動を検出する。
【００４０】
Ｓ３は、記憶部から識別情報を読み出す。
Ｓ４は、重機２か判別する。これらＳ３、Ｓ４は、Ｓ１で検出した重機２から検出した音、振動の信号と、後述する図４の（ｂ）の記憶部である物体識別情報テーブル１８に登録されている各レコードの特徴データ（テンプレート１，２・・・）と比較し、一致あるいはほぼ一致するレコードの物体名が重機か判別する。ＹＥＳの場合には、センサ部１１で検出された音、振動の信号が重機２から予め録音して登録したテンプレートの特徴と一致して重機と判明したので、Ｓ５に進む。一方、Ｓ４のＮＯの場合には、重機２からの音，振動でないと判明したので、ここでは、終了する。
【００４１】
Ｓ５は、Ｓ４のＹＥＳで重機２からの音、振動と判明したので、重機エンジンＯＦＦコードを読み出す。これは、Ｓ４のＹＥＳで図４の（ｂ）の物体識別情報テーブル１８中の一致したレコードからコード体系、送受信形式、および停止コマンドを読み出す。
【００４２】
Ｓ６は、ＯＦＦ指示電波を発信する。これは、Ｓ５で読み出した停止コマンドを読み出した送受信形式の電波で重機２に向けて発信する。
【００４３】
Ｓ７は、Ｓ６で発信された停止コマンドを重機２の受信部２１が受信する。
Ｓ８は、重機エンジンＯＦＦ指示か判別する。ＹＥＳの場合には、Ｓ９でエンジンＯＦＦにし、強制的にエンジン停止し、重機２の移動を強制停止させる。一方、Ｓ８のＮＯの場合には、終了する。
【００４４】
以上によって、重機２からの音、振動を検出し、検出した信号と、図４の（ｂ）の物体識別情報テーブル１８中のレコードの特徴データ（テンプレート１，２、・・・）と比較し、一致する特徴データが重機２のものであった場合に、重機２と検出し、一致したレコードからコード体系、送受信形式、停止コマンドを読み出してこれらに従って停止コマンドを重機２に発信し、重機２の受信部２１が停止コマンドを受信し、エンジンＯＦＦにし、重機２の移動を強制停止させることが可能となる。
【００４５】
〔２〕  図３は、本発明の１実施例構成図（その２）を示す。ここで、装置１、および装置１を構成するセンサ部１１、重機判別部１２、煙幕発生部１７．通報部１６、重機２、および関係部署システム３は、図１の対応する番号のものと同一であるので説明を省略する。
【００４６】
次に、図３の構成の動作を、図４の（ａ）のフローチャートの順番に従い詳細に説明する。
【００４７】
図４の（ａ）は、動作説明フローチャートを示す。ここで、装置１、重機２は、図３の装置１、重機２をそれぞれ表す。図中のＳ１からＳ４は、上述した〔１〕の説明中のＳ１からＳ４と同一であるので説明を省略する。
【００４８】
図４の（ａ）において、Ｓ１０は、Ｓ４のＹＥＳで重機２からの音、振動と判明したので、煙幕発生する。これにより、図３の装置１の煙幕発生部１７から煙幕が図示のように重機２に向けて放出され、重機２の操縦者が装置１を確認できず、立往生することとなる。この間に、図３の装置１の通報部１６が関係部署システム３に重機２からの音、振動が検出された旨および煙幕（あるいは液体）を放出した旨を通報し、迅速に装置１の場所に出向き盗難に対処した処置を施すことが可能となる。
【００４９】
図４の（ｂ）は、物体識別情報テーブル１８の例を示す。物体識別情報テーブル１８には、図示の下記の情報を対応づけて登録したものである。
【００５０】
・Ｎｏ：
・物体名：
・特徴データ：
・コード：
・送受信形式：
・停止コマンド：
・その他：
ここで、Ｎｏは物体識別情報テーブル１８のエントリに付与したシーケンシャルな番号である。物体名は音、振動の信号の特徴に対応する物体名（重機名）である。特徴データは物体から予め音、振動を記録して登録したテンプレートである。コードは物体名の送受信形式である。停止コードは物体名の重機などが使用する停止コマンド（例えばエンジンＯＦＦコマンド）である。
【００５１】
〔３〕  図５および図６を用いて説明する。
図５は、本発明の１実施例構成図（その３）を示す。ここで、装置１、および装置１を構成するセンサ部１１、重機判別部１２、ＯＦＦコード問合せ部１３、コマンド作成部１４、発信部１５、通報部１６、重機２、重機２を構成する発信部２１、通知部２２、エンジンＯＦＦ制御部２３、エンジン２４、移動機構２５、および関係部署システム３は、図１の対応する番号のものと同一であるので説明を省略する。
【００５２】
図５の構成の動作を、図６のフローチャートの順番に従い詳細に説明する。
図６は、動作説明フローチャート（その２）を示す。ここで、装置１、重機２は、図５の装置１、重機２をそれぞれ表す。
【００５３】
図６において、Ｓ１１は、重機２がエンジンＯＮし重機作動する。
Ｓ１２は、センサ部１１により物体情報を取得する。これは、図５の装置１を構成するセンサ部１１が重機２からの音、振動を検出する。
【００５４】
Ｓ１３は、記憶部から識別情報を読み出す。
Ｓ１４は、重機２か判別する。これらＳ１３、Ｓ１４は、Ｓ１１で検出した重機２から検出した音、振動の信号と、既述した図４の（ｂ）の記憶部である物体識別情報テーブル１８に登録されている各レコードの特徴データ（テンプレート１，２・・・）と比較し、一致あるいはほぼ一致するレコードの物体名が重機か判別する。ＹＥＳの場合には、センサ部１１で検出された音、振動の信号が重機２から予め録音して登録したテンプレートの特徴と一致して重機と判明したので、Ｓ１５に進む。一方、Ｓ１４のＮＯの場合には、重機２からの音，振動でないと判明したので、ここでは、終了する。
【００５５】
Ｓ１５は、Ｓ１４のＹＥＳで重機２からの音、振動と判明したので、重機エンジンＯＦＦコードを問合せる電波を送信する。
【００５６】
Ｓ１６は、Ｓ１５の問合せ電波を、図５の重機２の受信部２１が受信する。
Ｓ１７は、問合せコマンドが受信されたか判別する。ＹＥＳの場合には、Ｓ１８に進む。ＮＯの場合には、他の処理を行う。
【００５７】
Ｓ１８は、エンジンＯＦＦコードを送信する。
Ｓ１９は、装置１が電波を受信する。これらＳ１５からＳ１９により、装置１が重機エンジンＯＦＦコードを重機２に問合せてエンジンＯＦＦコマンドを取得できたこととなる。
【００５８】
Ｓ２０は、重機２のエンジンＯＦＦコマンドを送信する。
Ｓ２１は、電波を受信する。これは、Ｓ２０で送信されたエンジンＯＦＦコマンドを重機２の受信部２１が受信する。
【００５９】
Ｓ２２は、エンジンＯＦＦコマンドか判別する。ＹＥＳの場合には、Ｓ２３でエンジンＯＦＦする。ＮＯの場合には、他の処理を行う。
【００６０】
以上によって、重機２からの音、振動を検出し、検出した信号と、既述した図４の（ｂ）の物体識別情報テーブル１８中のレコードの特徴データ（テンプレート１，２、・・・）と比較し、一致する特徴データが重機２のものであった場合に、重機２を検出し、エンジンＯＦＦコマンドを当該重機２に問合せて取得し、取得したエンジンＯＦＦコマンドを重機２に送信してエンジンＯＦＦにし、重機２の移動を強制停止させることが可能となる。
【００６１】
〔４〕  次に、図７のフローチャートの順番に重機２が所定距離以下に近づいたことを検出したときに、既述したように重機２を強制停止させときの動作を詳細に説明する。
【００６２】
図７は、本発明の動作説明フローチャート（その３）を示す。
図７において、Ｓ３１は、物体に超音波を発射する。
【００６３】
Ｓ３２は、重機２が反射する。
Ｓ３３は、反射波を受信する。
【００６４】
Ｓ３４は、距離を算出する。これは、Ｓ３１で発射した超音波、電波と、Ｓ３２で受信した超音波、電波とのビートをもとに公知の手法により、装置１から物体２までの距離を算出する。
【００６５】
Ｓ３５は、距離が所定以下は判別する。ＹＥＳの場合には、既述した図４のＳ５、Ｓ１０、あるいは図６のＳ１５以下の処理を実行し、重機２のエンジンＯＦＦにし、強制停止させる。
【００６６】
以上によって、装置１から超音波、電波を重機２に向けて発射し、反射波を受信して重機２までの距離を算出し、距離が所定距離以下になったときに既述したエンジンＯＦＦコマンドを重機２に向けて送信し、重機２を強制停止させることが可能となる。
【００６７】
図８は、本発明の説明図（重機識別方法）を示す。
図８の（ａ）は、重機２の音、振動をもとに重機名を識別するシステム構成図を示す。
【００６８】
図８において、周波数検知手段４１が重機２から音、振動の周波数信号を取得し、波形抽出手段４２が取得した周波数信号を分析して波形を抽出（例えば下段に示す、重機２の特徴的振動を抽出）し、比較手段４３が抽出した特徴的波形と、既述した図４の（ｂ）の物体識別情報テーブル１８に登録されている重機２が取得した特徴データであるテンプレートと比較し、波形特徴が一致するテンプレートのレコードの物体名（重機名）を検出する。
【００６９】
以上のように、重機２から取得した音、振動の波形と、図４の（ｂ）の物体識別情報テーブル１８の特徴データである、テンプレートと順次比較し、一致あるいはほぼ一致する特徴をもつ重機を自動検出することが可能となる。
【００７０】
図８の（ｂ）は、装置１から重機２までの距離を測定するシステム構成図を示す。
【００７１】
図８の（ｂ）において、超音波発信部５１が超音波（あるいは電波）を物体２に向けて送信し、反射して帰ってきた反射波を超音波受信部５２が受信し、距離計算部５３が発信信号と受信信号とからビート信号を作成してこれから公知の手法をもとに装置１と物体２までの距離を計算し、出力する。
【００７２】
以上のように、装置１が超音波あるいは電波を物体２に向けて発信し、反射して帰ってきた反射波を受信し、発信信号および受信信号のビート（差分周波数信号）から距離を算出することにより、装置１に物体２が所定距離以下に近づいたと検出されたときに当該物体２である重機２のエンジンＯＦＦコマンドを送信し、当該重機２を強制的に停止させることが可能となる。
【００７３】
図９は、本発明の説明図を示す。
図９の（ａ）は、煙幕発生部のシステム構成図を示す。
【００７４】
図９の（ａ）において、噴射弁制御部６１が既述した重機検知信号を受信すると噴射弁駆動部６２に噴射弁開放を指示し、噴射弁駆動部６２が当該指示をもとに煙幕剤噴射部６３に煙幕剤噴射を指示し、煙幕剤噴射部６３が当該指示をもとに煙幕剤を重機２に向けて噴射し、煙幕を発生させて見えなくし、結果として重機２が装置１を持ち上げてトラックに載せるなどの作業を大幅に遅延させ、関係部署システム３で通報を受けた警備会社あるいは警察が到着して盗難を防止することが可能となる。、
図９の（ｂ）は、本発明の装置１から重機２にエンジンＯＦＦコマンドを送信するときのシステム構成図を示す。
【００７５】
図９の（ｂ）において、ＯＦＦコード取出手段７１が既述した重機検知信号の通知を受けると、ＯＦＦコード情報テーブル１９に登録されている重機２のエンジンＯＦＦコードを順番に取り出して変調回路７２に渡すと、変調回路７２が受取ったエンジンＯＦＦコードを変調し、アンテナ７３から重機２に向けて放射することを繰り返す。これにより、ＯＦＦコード情報テーブル１９に登録されている全ての重機２のコード体系のエンジンＯＦＦコードを重機２に向けて送信するため、一致するコード体系の重機２であれば当該エンジンＯＦＦコードを受信してエンジンＯＦＦにし、重機２を強制的に停止させ、重機２による装置１の盗難を防止することが可能となる。この際、販売されている全ての重機２のエンジンＯＦＦコードを登録するようにＯＦＦコード情報テーブル１９をインターネットを介してセンタに接続し、全ての重機のエンジンＯＦＦコードに更新することにより、エンジンＯＦＦコードでエンジン停止できる全ての重機２に対して強制停止させることが可能となる。
【００７６】
図１０は、本発明の説明図（重機）を示す。
図１０の（ａ）は、重機２のエンジンＯＦＦコマンドを受信してエンジンＯＦＦするシステム構成図を示す。
【００７７】
図１０の（ａ）において、アンテナ８１は、電波で装置１との間でコマンドなどの送受信するものである。
【００７８】
復調回路８２は、アンテナ８１で受信した信号を復調して元の信号にするものである。
【００７９】
コマンド抽出手段８３は、復調回路８２で復調した信号からコマンドを抽出するものである。
【００８０】
比較手段８４は、コード抽出手段８３で抽出したコマンドと、コマンド情報テーブル８５に登録されているコマンドとを比較し、ここでは、エンジンＯＦＦコマンドと一致したときにエンジンＯＦＦ要求をエンジンＯＦＦ制御回路２３に通知したり、エンジンＯＦＦコマンド要求と一致したときにＯＦＦ通知（エンジンＯＦＦコマンドを要求元に通知）をエンジンＯＦＦ通知手段８６に通知したりなどするものである。
【００８１】
エンジンＯＦＦ制御回路２３は、エンジン２４を強制停止させるものである。
エンジンＯＦＦ通知手段８６は、ＯＦＦコマンド要求を受信したときに、変調回路８７にエンジンＯＦＦコマンドを要求元に返信するように通知するものである。
【００８２】
変調回路８７は、通知を受けたエンジンＯＦＦコマンドを変調するものである。そして、アンテナ８１から装置１に向けて、要求のあったエンジンＯＦＦコマンドを発射（返信）する。
【００８３】
図１０の（ｂ）は、エンジンＯＦＦ制御するシステム構成図を示す。
図１０の（ｂ）において、ＡＮＤ回路９１が上述した図１０の（ｂ）の比較手段８４からエンジンＯＦＦ要求”０”入力されると、エンジンＯＦＦ制御回路２３がエンジンＯＦＦ信号”０”を通知し、エンジン２４を強制停止させる。この状態で、エンジンキー９２を再度、ＯＮ状態にしても、強制的にエンジン２４をＯＦＦに制御しているので、再エンジン起動は不可である。
【００８４】
【発明の効果】
以上説明したように、本発明によれば、現金自動支払装置などの装置１にセンサを取り付けて重機２が近づいたことを音、振動などで検出し、電波を送信して重機２のエンジンをＯＦＦなどして停止させるなどの構成を採用しているため、重機２による現金自動取扱装置などの装置１の盗難を確実かつ未然に防止することが可能となる。
【図面の簡単な説明】
【図１】本発明のシステム構成図である。
【図２】本発明の１実施例構成図（その１）である。
【図３】本発明の１実施例構成図（その２）である。
【図４】本発明の説明図（その１）である。
【図５】本発明の１実施例構成図（その３）である。
【図６】本発明の動作説明フローチャート（その２）である。
【図７】本発明の動作説明フローチャート（その３）である。
【図８】本発明の説明図（重機識別方法）である。
【図９】本発明の説明図である。
【図１０】本発明の説明図（重機）である。
【符号の説明】
１：装置
１１：センサ部
１２：重機判別部
１３：ＯＦＦコード問合せ部
１４：コマンド作成部
１５：発信部
１６：通報部
１７：煙幕発生部
１８：物体識別情報テーブル
２：重機
２１：受信部
２２：通知部
２３：エンジンＯＦＦ制御部
２４：エンジン
２５：移動機構
３：関係部署システム
【図１】
2004272663.tif 000003
【図２】
2004272663.tif 000004
【図３】
2004272663.tif 000005
【図４】
2004272663.tif 000006
【図５】
2004272663.tif 000007
【図６】
2004272663.tif 000008
【図７】
2004272663.tif 000009
【図８】
2004272663.tif 000010
【図９】
2004272663.tif 000011
【図１０】
2004272663.tif 000012